(57)【要約】【課題】プロジェクタ等の画像表示装置にネットワーク接続を行うための手続きを容易に行うことが可能な画像表示装置、画像表示システム、及びネットワーク接続方法を提供する。【解決手段】制御部５５は、無線ＬＡＮ接続を開始するための指示を受けると、記憶部５６に記憶されている接続情報を記憶部５６から読み出し、これを符号化して接続情報コードを表す画像データを生成する。その後、生成した画像データを画像信号処理部６０に出力すると、画像投写部５１から、当該画像信号に応じた画像（投写画像ＩＭ）が投写され、スクリーンＳＣ上に接続情報コードが表示される。接続情報コードが投写されている状態で、ユーザは、操作部５７或いはリモコンＲＣを操作することにより、投写画像、即ち接続情報コードを拡大したり、縮小したりすることができる。【選択図】図２
2008015402.tif 000002
【特許請求の範囲】
【請求項１】
画像供給装置からネットワークを介して入力される画像信号に基づいて画像を表示する画像表示装置であって、
当該画像表示装置にネットワーク接続するための接続情報を記憶する記憶手段と、
前記接続情報を前記画像供給装置で認識可能に符号化した接続情報コードを生成する符号化手段と、
前記画像信号に基づいた画像を表示するとともに、前記接続情報コードを画像として表示する表示手段と、
前記表示手段が表示する前記接続情報コードの表示サイズを変更するコードサイズ変更手段と、
を有することを特徴とする画像表示装置。
【請求項２】
請求項１に記載の画像表示装置であって、前記コードサイズ変更手段は、所定時間毎に前記接続情報コードの表示サイズを変更することを特徴とする画像表示装置。
【請求項３】
請求項１又は２に記載の画像表示装置であって、前記表示手段は、前記接続情報コードを複数の位置に表示することを特徴とする画像表示装置。
【請求項４】
画像信号を出力する画像供給装置と、当該画像供給装置からネットワークを介して入力される前記画像信号に基づいて画像を表示する画像表示装置とを含む画像表示システムであって、
前記画像表示装置は、
当該画像表示装置にネットワーク接続するための接続情報を記憶する記憶手段と、
前記接続情報を前記画像供給装置で認識可能に符号化した接続情報コードを生成する符号化手段と、
前記画像信号に基づいた画像を表示するとともに、前記接続情報コードを画像として表示する表示手段と、
前記表示手段が表示する前記接続情報コードの表示サイズを変更するコードサイズ変更手段と、
を有し、
前記画像供給装置は、
前記表示手段によって表示された前記接続情報コードを解析し、前記接続情報を認識する接続情報認識手段と、
前記接続情報認識手段によって認識された前記接続情報に基づいて、前記画像表示装置とネットワーク接続を行うネットワーク接続手段と、
を有することを特徴とする画像表示システム。
【請求項５】
画像信号を出力する画像供給装置と、
表示手段を有し、前記画像供給装置からネットワークを介して入力される前記画像信号に基づいた画像を、前記表示手段により表示する画像表示装置と、
を含む画像表示システムのネットワーク接続方法であって、
前記画像表示装置が、自らにネットワーク接続するための接続情報を前記画像供給装置で認識可能に符号化した接続情報コードを生成する第１のステップと、
前記画像表示装置が、前記表示手段によって前記接続情報コードを表示する第２のステップと、
前記画像表示装置が、前記接続情報コードの表示サイズを変更するための指示を受け付ける第３のステップと、
前記画像表示装置が、前記第３のステップにて受け付けた前記指示に基づいて、前記接続情報コードの表示サイズを変更する第４のステップと、
前記画像供給装置が、前記表示手段によって表示された前記接続情報コードを解析し、前記接続情報を認識する第５のステップと、
前記画像供給装置が、認識した前記接続情報に基づいて、前記画像表示装置とネットワーク接続を行う第６のステップと、
を有することを特徴とする画像表示システムのネットワーク接続方法。
【発明の詳細な説明】
【技術分野】
【０００１】
本発明は、画像表示装置、画像表示システム、及びネットワーク接続方法に関する。
【背景技術】
【０００２】
近年、会議等で発表や報告を行う際に、パーソナルコンピュータ（以降、「ＰＣ」という）等にデジタルデータとして記憶させた資料を、プロジェクタによって拡大表示させることにより、多くの参加者に発表内容を視認させることが可能になっている。さらに最近は、無線ＬＡＮ（Local Area Network）による無線通信が可能なプロジェクタを用いることにより、ＰＣからプロジェクタへのデータ転送をワイヤレスで行うことが可能になっている。このようなプロジェクタを用いれば、ケーブルが邪魔になることがなくなるうえ、複数の発表者が各々のＰＣを用いて入れ替わり発表を行う場合でも、ケーブルを接続し直す作業をなくすことができる。
【０００３】
しかしながら、無線ＬＡＮによってＰＣからプロジェクタにネットワーク接続を行うためには、必要な接続情報、例えば、プロジェクタのＩＰアドレスや、ネットワーク名を示すＥＳＳＩＤ（Extended Service Set Identifier）等の識別子、或いは通信データの暗号化技術であるＷＥＰ（Wired Equivalent Privacy）におけるパスワード等をＰＣに入力する必要がある。この入力作業を行うためには、あらかじめプロジェクタの接続情報を調べておかねばならず、また、接続情報を把握していたとしても、ネットワークに関する知識がないと入力作業を行うことは困難であった。
【０００４】
このような問題点に鑑み、１つの電子機器（例えば、携帯情報端末）から他の電子機器（例えば、プロジェクタ）に簡便にアクセスするための技術が特許文献１に開示されている。特許文献１に記載の画像表示システムでは、プロジェクタに接続するための接続情報（ＩＤ情報）が、非接触タグやバーコードの形態でプロジェクタ本体、或いはスクリーンの一部に取り付けられており、ユーザが、非接触タグリーダやバーコードリーダを備えた携帯情報端末をプロジェクタやスクリーンに近づけて、携帯情報端末に接続情報を読み取らせると、携帯情報端末は、読み取った接続情報に基づいてプロジェクタとのネットワーク接続を確立させることができるようになっている。
【０００５】
【特許文献１】国際公開第ＷＯ２００３−０１５４５１号公報パンフレット
【発明の開示】
【発明が解決しようとする課題】
【０００６】
しかしながら、特許文献１に記載の画像表示システムでは、非接触タグやバーコード（印刷物）等を、ＩＤ情報としてプロジェクタやスクリーンに取り付ける作業を行わなければならないうえ、その際に誤ったＩＤ情報を取り付けてしまう恐れがあった。また、取り付けたＩＤ情報を読み取る際には、携帯情報端末をプロジェクタやスクリーンに近づける必要があるため、ユーザは、接続の都度、携帯情報端末を持って移動しなければならなかった。
【０００７】
本発明は、上記問題に鑑みてなされたものであり、その目的は、プロジェクタ等の画像表示装置にネットワーク接続を行うための手続きを容易に行うことが可能な画像表示装置、画像表示システム、及びネットワーク接続方法を提供することにある。
【課題を解決するための手段】
【０００８】
本発明の画像表示装置は、画像供給装置からネットワークを介して入力される画像信号に基づいて画像を表示する画像表示装置であって、当該画像表示装置にネットワーク接続するための接続情報を記憶する記憶手段と、前記接続情報を前記画像供給装置で認識可能に符号化した接続情報コードを生成する符号化手段と、前記画像信号に基づいた画像を表示するとともに、前記接続情報コードを画像として表示する表示手段と、前記表示手段が表示する前記接続情報コードの表示サイズを変更するコードサイズ変更手段とを有することを特徴とする。
【０００９】
この画像表示装置によれば、自らにネットワーク接続するための接続情報を符号化して接続情報コードを生成し、これを画像として表示するため、接続情報を記した非接触タグや印刷物等を、画像表示装置に取り付ける作業を行う必要がなくなるうえ、誤った接続情報を取り付けてしまう恐れがなくなる。
さらに、接続情報コードの表示サイズを変更するコードサイズ変更手段を備えているため、画像供給装置による認識に好適なサイズで接続情報コードを表示することが可能となり、ユーザが画像供給装置に接続情報を認識させる際の利便性が向上する。
以上の結果、画像表示装置にネットワーク接続するための手続きを容易に行うことが可能となる。
【００１０】
この画像表示装置において、前記コードサイズ変更手段は、所定時間毎に前記接続情報コードの表示サイズを変更するようにしてもよい。
【００１１】
この画像表示装置によれば、コードサイズ変更手段が所定時間毎に接続情報コードの表示サイズを変更するため、ユーザは、接続情報コードが所望の表示サイズとなったときに画像供給装置に接続情報を認識させればよくなり、ユーザが自ら表示サイズを変更する操作を行う必要がなくなる。
【００１２】
この画像表示装置において、前記表示手段は、前記接続情報コードを複数の位置に表示するようにしてもよい。
【００１３】
この画像表示装置によれば、表示手段が複数の位置に接続情報コードを表示するため、ユーザは、画像供給装置に認識させやすい位置の接続情報コードを利用することが可能となり、ユーザの利便性が向上する。
【００１４】
本発明の画像表示システムは、画像信号を出力する画像供給装置と、当該画像供給装置からネットワークを介して入力される前記画像信号に基づいて画像を表示する画像表示装置とを含む画像表示システムであって、前記画像表示装置は、当該画像表示装置にネットワーク接続するための接続情報を記憶する記憶手段と、前記接続情報を前記画像供給装置で認識可能に符号化した接続情報コードを生成する符号化手段と、前記画像信号に基づいた画像を表示するとともに、前記接続情報コードを画像として表示する表示手段と、前記表示手段が表示する前記接続情報コードの表示サイズを変更するコードサイズ変更手段とを有し、前記画像供給装置は、前記表示手段によって表示された前記接続情報コードを解析し、前記接続情報を認識する接続情報認識手段と、前記接続情報認識手段によって認識された前記接続情報に基づいて、前記画像表示装置とネットワーク接続を行うネットワーク接続手段とを有することを特徴とする。
【００１５】
この画像表示システムによれば、画像表示装置が、自らにネットワーク接続するための接続情報を符号化して接続情報コードを生成し、これを画像として表示するため、接続情報を記した非接触タグや印刷物等を、画像表示装置に取り付ける作業を行う必要がなくなるうえ、誤った接続情報を取り付けてしまう恐れがなくなる。
さらに、接続情報コードの表示サイズを変更するコードサイズ変更手段を備えているため、画像供給装置による認識に好適なサイズで接続情報コードを表示することが可能となり、ユーザが画像供給装置に接続情報を認識させる際の利便性が向上する。
以上の結果、画像表示装置にネットワーク接続するための手続きを容易に行うことが可能となる。
【００１６】
本発明のネットワーク接続方法は、画像信号を出力する画像供給装置と、表示手段を有し、前記画像供給装置からネットワークを介して入力される前記画像信号に基づいた画像を、前記表示手段により表示する画像表示装置とを含む画像表示システムのネットワーク接続方法であって、前記画像表示装置が、自らにネットワーク接続するための接続情報を前記画像供給装置で認識可能に符号化した接続情報コードを生成する第１のステップと、前記画像表示装置が、前記表示手段によって前記接続情報コードを表示する第２のステップと、前記画像表示装置が、前記接続情報コードの表示サイズを変更するための指示を受け付ける第３のステップと、前記画像表示装置が、前記第３のステップにて受け付けた前記指示に基づいて、前記接続情報コードの表示サイズを変更する第４のステップと、前記画像供給装置が、前記表示手段によって表示された前記接続情報コードを解析し、前記接続情報を認識する第５のステップと、前記画像供給装置が、認識した前記接続情報に基づいて、前記画像表示装置とネットワーク接続を行う第６のステップとを有することを特徴とする。
【００１７】
このネットワーク接続方法によれば、画像表示装置が、自らにネットワーク接続するための接続情報を符号化して接続情報コードを生成し、これを画像として表示するため、接続情報を記した非接触タグや印刷物等を、画像表示装置に取り付ける作業を行う必要がなくなるうえ、誤った接続情報を取り付けてしまう恐れがなくなる。
さらに、画像表示装置が、ユーザの指示に応じて接続情報コードの表示サイズを変更するため、ユーザは、画像供給装置による認識に好適なサイズで接続情報コードを表示させることが可能となり、画像供給装置に接続情報を認識させる際の利便性が向上する。
以上の結果、画像表示装置にネットワーク接続するための手続きを容易に行うことが可能となる。
【００１８】
また、上述した画像表示装置、画像表示システム、及びネットワーク接続方法が、画像表示装置及び画像供給装置に備えられたコンピュータを用いて構築されている場合には、本発明は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００１９】
（第１実施形態）
本発明の第１実施形態に係る画像表示システムについて、図面を参照して説明する。
図１は、第１実施形態の画像表示システムの概略構成を示す説明図である。
図１に示すように、画像表示システム１は、それぞれ無線ＬＡＮ（Local Area Network）によるネットワーク通信が可能なプロジェクタ５０、及び携帯電話８０とから構成されている。
携帯電話８０は、プロジェクタ５０との間で無線ＬＡＮによるネットワーク接続（無線ＬＡＮ接続）がなされた状態で、プロジェクタ５０に対して画像信号を供給することが可能になっており、本発明の画像供給装置に相当する。プロジェクタ５０は、会議室等の天井に設置（天吊り）され、入力される画像信号に応じた画像を、壁面に備えられたスクリーンＳＣ等に投写する画像表示装置である。なお、図１では、無線ＬＡＮの接続形態として、アクセスポイントを介さずに装置同士を接続させるアドホックモードを利用する例を示している。
【００２０】
プロジェクタ５０は、携帯電話８０と無線ＬＡＮ接続を行う際に、ネットワーク名を表すＥＳＳＩＤ（Extended Service Set Identifier）等、接続に必要な接続情報を図形化（符号化）した接続情報コードＣＣをスクリーンＳＣに投写することができる。本実施形態では、接続情報コードＣＣとして、マトリックス型の２次元コードであるＱＲコード（登録商標）を用いるものとするが、他のマトリクス型２次元コードや、バーコードを積み上げた形のスタック型の２次元コードを用いてもよい。或いは、２次元コードを時系列に変化させる３次元コード等、２次元コード以外のコードを用いることも可能である。
【００２１】
携帯電話８０は、ＣＣＤカメラ等からなる撮像部８５を備えており、プロジェクタ５０からスクリーンＳＣに投写された接続情報コードＣＣを撮像することができる。さらに、携帯電話８０は、撮像した接続情報コードＣＣからプロジェクタ５０の接続情報を認識することが可能となっており、この接続情報に基づいてプロジェクタ５０との無線ＬＡＮ接続を行うことにより、プロジェクタ５０に対して画像信号を供給することができるようになる。
【００２２】
次に、プロジェクタ５０及び携帯電話８０の概略構成について説明する。
図２は、画像表示システム１におけるプロジェクタ５０及び携帯電話８０の概略構成を示すブロック図である。
図２に示すように、プロジェクタ５０は、表示手段としての画像投写部５１、制御部５５、記憶手段としての記憶部５６、操作部５７、操作信号受信部５８、インターフェイス（Ｉ／Ｆ）部５９、画像信号処理部６０、ランプ駆動部６１、ズーム駆動部６２、通信部６３、ライトバルブ駆動部６４、リモコンＲＣ等で構成されており、画像投写部５１には、光源部５２、３つの液晶ライトバルブ５３Ｒ，５３Ｇ，５３Ｂ、投写レンズ５４等が含まれている。
【００２３】
光源部５２は、高圧水銀ランプや、メタルハライドランプ等の放電ランプ５２ａと、放電ランプ５２ａが放射した光を液晶ライトバルブ５３Ｒ，５３Ｇ，５３Ｂ側に反射するリフレクタ５２ｂとを含んで構成されている。光源部５２から射出された光は、図示しないインテグレータ光学系によって輝度分布が均一な光に変換されるとともに、図示しない色分離光学系によって、光の３原色である赤色（Ｒ）、緑色（Ｇ）、青色（Ｂ）の各色光成分に分離された後、それぞれ液晶ライトバルブ５３Ｒ，５３Ｇ，５３Ｂに入射する。
【００２４】
各液晶ライトバルブ５３Ｒ，５３Ｇ，５３Ｂには、複数の画素がマトリクス状に形成されており、ライトバルブ駆動部６４が、入力される画像信号に基づいて液晶ライトバルブ５３Ｒ，５３Ｇ，５３Ｂを駆動することにより、光源部５２から射出した光は、液晶ライトバルブ５３Ｒ，５３Ｇ，５３Ｂで画素毎に変調され、画像信号に応じた画像光が色光毎に形成される。形成された各色の画像光は、図示しない色合成光学系によって画素毎に合成されてカラー画像を表す画像光となった後、投写レンズ５４によってスクリーンＳＣ等に拡大投写される。
【００２５】
投写レンズ５４は、ズーム機構を備えており、投写レンズ５４を構成する複数のレンズ群の光軸方向の位置関係を変化させることにより、投写される画像（投写画像）の拡大や縮小を行うことが可能になっている。
【００２６】
制御部５５は、ＣＰＵ（Central Processing Unit）等を備え、コンピュータとして機能するものであり、記憶部５６に記憶されている制御プログラムに従って動作することにより、バス６５を介して接続されている前記各部５６〜６２の動作を統括制御する。
【００２７】
記憶部５６は、マスクＲＯＭ（Read Only Memory）や、フラッシュメモリ、ＦｅＲＡＭ（Ferroelectric Random Access Memory：強誘電体メモリ）等の不揮発性のメモリにより構成されている。記憶部５６には、プロジェクタ５０の動作を制御するための様々な制御プログラムや各種データ等が記憶されている。
【００２８】
記憶部５６が記憶するデータには、外部の装置がプロジェクタ５０に無線ＬＡＮ接続する際に必要となる接続情報が含まれている。本実施形態では、アクセスポイントを介在させない接続形態であるアドホックモードで接続する場合と、アクセスポイントを介在させる接続形態であるアクセスポイントモード（インフラストラクチャモード）で接続する場合の２種類の接続情報が記憶されている。アドホックモードで接続するための接続情報には、接続形態（アクセスモード）がアドホックモードであることを示すアクセスモード識別子の他に、ＥＳＳＩＤが含まれ、アクセスポイントモードで接続するための接続情報には、アクセスモードがアクセスポイントモードであることを示すアクセスモード識別子、ＥＳＳＩＤに加えて、ＤＨＣＰ（Dynamic Host Configuration Protocol）を使用するか否かを表す情報、プロジェクタ５０のＩＰアドレス、サブネットマスク、デフォルトゲートウェイ、及び通信データを暗号化するＷＥＰ（Wired Equivalent Privacy）のパスワード等が含まれている。
【００２９】
また、記憶部５６が記憶する制御プログラムには、外部の装置と無線ＬＡＮ接続するための処理内容やその順序を規定した接続確立プログラムＰＰが含まれている。この接続確立プログラムＰＰには、接続情報を符号化して接続情報コードＣＣを生成するためのコード生成プログラムがサブルーチンとして内包されている。なお、制御部５５がこのコード生成プログラムに従って動作することにより、記憶部５６に記憶されている接続情報を符号化することが可能となることから、コード生成プログラムに従って動作する際の制御部５５が、本発明の符号化手段に相当する。
【００３０】
操作部５７及びリモコンＲＣは、プロジェクタ５０に対して各種指示を行うための複数の操作ボタンを備えている。操作部５７及びリモコンＲＣが備える操作ボタンとしては、電源のオン・オフを行うための「電源ボタン」、メニュー画像を投写させる「メニューボタン」、メニュー画像上でカーソルを移動させる「カーソルボタン」、無線ＬＡＮ接続を指示するための「接続ボタン」、投写レンズ５４のズーム状態を変更するための「ズームワイドボタン」及び「ズームテレボタン」等がある。ユーザが操作部５７の各種操作ボタンを操作すると、操作部５７は、ユーザの操作内容に応じた操作信号を制御部５５に出力する。また、ユーザがリモコンＲＣの各種操作ボタンを操作すると、リモコンＲＣは、ユーザの操作内容に応じた赤外線の操作信号を発し、操作信号受信部５８がこれを受信して制御部５５に伝達する。
【００３１】
インターフェイス部５９は、ＵＳＢ（Universal Serial Bus）コントローラやＰＣＩ（Peripheral Component Interconnect）コントローラ等の各種デバイスコントローラを搭載しており、外部デバイスとの間でデータの入出力を行う。インターフェイス部５９には、外部デバイスを接続するためのカードスロットやＵＳＢポート（いずれも図示せず）が設けられており、本実施形態のカードスロットには、通信部６３が接続されている。
【００３２】
通信部６３は、IEEE 802.11b、IEEE 802.11g、IEEE 802.11a等の無線ＬＡＮ規格に対応した無線ＬＡＮカードであり、制御部５５の指示に基づいて、無線ＬＡＮ接続に関わるコマンドの送受信や、画像信号の受信等を行うことができる。通信部６３が画像信号を受信すると、当該画像信号は、制御部５５によって画像信号処理部６０に出力される。なお、通信部６３は、無線ＬＡＮに接続可能な無線端末装置であればよく、例えば、ＵＳＢポートに装着する無線ＬＡＮアダプタや、プロジェクタ５０に予め内蔵されている無線ＬＡＮモジュールを用いるようにしてもよい。
【００３３】
画像信号処理部６０は、画像プロセッサであり、入力端子（図示せず）またはインターフェイス部５９を介して入力される画像信号に対して、スケーリング等の様々な画像処理を施し、処理後の画像信号をライトバルブ駆動部６４に出力する。
ライトバルブ駆動部６４は、画像信号処理部６０から入力される画像信号に基づいて、３つの液晶ライトバルブ５３Ｒ，５３Ｇ，５３Ｂを駆動する。この結果、画像投写部５１から画像信号に応じた画像（画像光）が投写される。
【００３４】
ランプ駆動部６１は、光源部５２の点灯及び消灯を制御する点灯制御回路であり、光源部５２を点灯させるために高電圧を発生して放電経路を形成するイグナイタ回路と、点灯後の安定した点灯状態を維持するためのバラスト回路（いずれも図示せず）とを含んで構成されている。
【００３５】
ズーム駆動部６２は、制御部５５からの指示に基づいて、投写レンズ５４のズーム機構を駆動することにより、投写画像の拡大や縮小を行うことができる。制御部５５は、ユーザによって操作部５７のズームワイドボタンが操作（押下）されると、ズーム駆動部６２に指示をして、ズーム機構をワイド（広角）側に駆動させることにより投写画像を拡大する。一方、ユーザによって操作部５７のズームテレボタンが操作されると、ズーム駆動部６２に指示をして、ズーム機構をテレ（望遠）側に駆動させることにより投写画像を縮小する。制御部５５は、ズームワイドボタンやズームテレボタンの操作（ズーム操作）がなされ続けている間中、ズーム駆動部６２にズーム機構の駆動を行わせ、ユーザがズーム操作を停止するか、或いはズーム状態がワイド端やテレ端に達すると駆動を停止させる。
【００３６】
続いて、携帯電話８０の概略構成について説明する。
携帯電話８０は、図示しない通話手段（通話用のアンテナ、マイク、スピーカ等）の他に、制御部８１、記憶部８２、操作部８３、表示部８４、撮像部８５、通信部８６等を備えている。
【００３７】
制御部８１は、ＣＰＵ等を備え、コンピュータとして機能するものであり、記憶部８２に記憶されている制御プログラムに従って動作することにより、バス８７を介して接続されている前記各部８２〜８６の動作を統括制御する。
【００３８】
記憶部８２は、マスクＲＯＭや、フラッシュメモリ、ＦｅＲＡＭ等の不揮発性のメモリにより構成されている。記憶部８２には、携帯電話８０の動作を制御するための様々な制御プログラムや、プロジェクタ５０で投写するための画像データ等が記憶されている。
【００３９】
記憶部８２が記憶する制御プログラムには、外部の画像表示装置と無線ＬＡＮ接続するための処理内容とその順序を規定した接続確立プログラムＰＭが含まれている。この接続確立プログラムＰＭには、撮像部８５が撮像した画像に含まれる接続情報コードＣＣを解析し、この接続情報コードＣＣに含まれる接続情報を認識するためのコード解析プログラムがサブルーチンとして内包されている。なお、制御部８１がこのコード解析プログラムに従って動作することにより、撮像した接続情報コードＣＣを解析し、それに含まれる接続情報を認識することが可能となることから、コード解析プログラムに従って動作する際の制御部８１が、本発明の接続情報認識手段に相当する。
【００４０】
操作部８３は、携帯電話８０に対して各種指示を行うための複数の操作ボタンを備えている。操作部８３が備える操作ボタンとしては、通話を行うために必要な各種ボタン（通話用ボタン）に加えて、携帯電話８０を電話機として使用可能な状態（電話モード）とデジタルカメラとして使用可能な状態（カメラモード）等を切り替えるための「モード切替ボタン」、無線ＬＡＮ接続を指示するための「接続ボタン」、無線ＬＡＮ接続の切断を指示するための「切断ボタン」、撮像部８５によって画像の撮像（記録）を指示するための「シャッタボタン」等がある。ユーザが操作部８３の操作ボタンを操作すると、操作部８３は、ユーザの操作内容に応じた操作信号を制御部８１に出力する。なお、接続ボタンや切断ボタン、シャッタボタン、通話用ボタン等は、すべてが独立したボタンである必要はなく、１つのボタンに複数の機能を割り当てて、モードの切り替え等に応じて出力する操作信号を切り替えるようにしてもよい。
【００４１】
表示部８４は、例えば、ＴＦＴ（Thin Film Transistor）駆動によるアクティブマトリクス駆動方式の液晶表示装置であり、制御部８１や撮像部８５から出力される画像データに基づいた画像を表示する。
【００４２】
撮像部８５は、例えば、ＣＣＤ（Charge Coupled Device）カメラやＣＭＯＳ（Complementary Metal Oxide Semiconductor）カメラ等で構成されており、制御部８１の指示に基づいて被写体を撮像し、撮像結果（撮像画像）を表す画像データを生成する。携帯電話８０は、ユーザの操作等によってカメラモードに切り替えられた時点から周期的な撮像（画像データの生成）を開始し、撮像画像を表示部８４にリアルタイムで表示（モニタ表示）する。この状態で、ユーザにより操作部８３のシャッタボタンが操作（押下）されると、制御部８１は、その時点で撮像部８５が生成した１フレーム（１画面）分の画像データを記憶部８２に記憶（記録）する。なお、本明細書では、表示部８４にモニタ表示するための撮像を単に「撮像」と表記し、シャッタボタンの操作に応じて画像データを記憶部８２に記憶させることを「撮像（記録）」と表記する。
【００４３】
通信部８６は、IEEE 802.11b、IEEE 802.11g、IEEE 802.11a等の無線ＬＡＮ規格に対応した無線ＬＡＮモジュールであり、制御部８１の指示に基づいて、無線ＬＡＮ接続に関わるコマンドの送受信や、画像信号の送信等を行うことができる。なお、携帯電話８０が外部デバイスを接続するためのカードスロットやＵＳＢポートを備える場合には、これらに接続可能な無線ＬＡＮカードや無線ＬＡＮアダプタを通信部８６として用いるようにしてもよい。
【００４４】
次に、画像表示システム１の動作について、図面を参照して説明する。
図３は、プロジェクタ５０の動作を説明するためのフローチャートである。
プロジェクタ５０に電源が投入されると、制御部５５は、記憶部５６に記憶された制御プログラムに従った動作を開始し、各種初期化動作を行った後、操作部５７及び操作信号受信部５８からの信号入力を待機する。この状態で、ユーザは、操作部５７或いはリモコンＲＣの接続ボタンを操作することにより、外部の装置（携帯電話８０）との無線ＬＡＮ接続を開始するための指示を行うことができる。なお、図示は省略するが、接続ボタンが操作されると、制御部５５は、アクセスモードを選択させるメニュー画像を画像投写部５１から投写するようになっており、ユーザは、アクセスモードとして、アドホックモードとアクセスポイントモードのいずれかを指定する必要がある。
【００４５】
図３に示すように、ステップＳ１０１では、制御部５５は、操作部５７及び操作信号受信部５８から入力される操作信号に基づいて、無線ＬＡＮ接続を開始するための指示（接続ボタンの操作）がなされたか否かを判断する。指示があった場合には、上述したようにアクセスモードを選択させた後でステップＳ１０２へ移行し、指示がなかった場合には、当該ステップＳ１０１を繰り返す。
【００４６】
無線ＬＡＮ接続を開始するための指示を受けてステップＳ１０２に移行した場合には、制御部５５は、記憶部５６に記憶されている接続確立プログラムＰＰに従った動作を開始する。まず、指定されたアクセスモード（例えば、アドホックモード）の接続情報を記憶部５６から読み出し、この接続情報に基づいて、無線ＬＡＮ接続を行うための設定をプロジェクタ５０に施す。
【００４７】
その後、ステップＳ１０３では、制御部５５は、接続確立プログラムＰＰのサブルーチンであるコード生成プログラムに従って動作し、読み出した接続情報を符号化して接続情報コードＣＣを表す画像データを生成する。なお、この画像データを生成する際には、接続情報を精度よく認識させるために、接続情報コードＣＣを構成する略正方形のセル（最小単位）を、投写画像の解像度を決定する液晶ライトバルブ５３Ｒ，５３Ｇ，５３Ｂの１画素よりも十分に大きくする必要がある。また、本実施形態では、接続情報コードＣＣが投写画像の略中央に位置するように画像データを生成する。
【００４８】
ステップＳ１０４では、制御部５５は、生成した接続情報コードＣＣ（画像データ）を画像信号として画像信号処理部６０に出力する。これにより、画像投写部５１から、当該画像信号に応じた画像（投写画像ＩＭ）が投写され、スクリーンＳＣ上に接続情報コードＣＣが表示される（図１参照）。ここで、投写画像ＩＭの余白部分に、「無線ＬＡＮ接続を行うためには、この接続情報コードを撮影して下さい」等のメッセージを表示するようにしてもよい。
【００４９】
接続情報コードＣＣが投写されている状態で、ユーザは、操作部５７或いはリモコンＲＣの「ズームワイドボタン」、「ズームテレボタン」を操作することにより、投写画像ＩＭ、即ち接続情報コードＣＣを拡大したり、縮小したりすることができる。
【００５０】
ステップＳ１０５では、制御部５５は、ユーザによるズーム操作、即ち、操作部５７或いはリモコンＲＣのズームワイドボタンやズームテレボタンの操作がなされているか否かを判断する。ズーム操作がなされている場合にはステップＳ１０６に移行し、ズーム操作がなされていない場合にはステップＳ１０７に移行する。
【００５１】
ズーム操作がなされていてステップＳ１０６に移行した場合には、制御部５５は、ズーム駆動部６２にユーザの操作内容に応じた指示をして、投写レンズ５４のズーム機構を駆動させる。これにより、投写されている接続情報コードＣＣは、ユーザの操作内容に応じて拡大又は縮小する。
【００５２】
その後、ステップＳ１０７では、制御部５５は、携帯電話８０から通信部６３及びインターフェイス部５９を介して接続要求コマンドを受信したか否かを判断する。接続要求コマンドは、ユーザが携帯電話８０の操作部８３を操作して、プロジェクタ５０との無線ＬＡＮ接続を携帯電話８０に指示した場合に、携帯電話８０がプロジェクタ５０に送信するコマンドである。接続要求コマンドを受信した場合には、ステップＳ１０８へ移行し、受信していない場合には、ステップＳ１０５に戻る。
【００５３】
接続要求コマンドが受信されてステップＳ１０８に移行した場合には、制御部５５は、接続を許可する接続応答コマンドを通信部６３から携帯電話８０に送信する。これにより、携帯電話８０とプロジェクタ５０との無線ＬＡＮ接続が確立し、携帯電話８０の通信部８６からプロジェクタ５０の通信部６３に対して画像信号を送信することが可能となる。
【００５４】
ステップＳ１０９では、制御部５５は、携帯電話８０から送信される画像信号を通信部６３で受信し、これを画像信号処理部６０に出力する。これにより、受信した画像信号に応じた画像（受信画像）が画像投写部５１から投写され、スクリーンＳＣに表示される。
【００５５】
受信画像を投写している間、ユーザは、携帯電話８０の操作部８３に備わる切断ボタンを操作することにより、無線ＬＡＮ接続の切断を指示することができる。切断ボタンが操作されると、携帯電話８０は、プロジェクタ５０に対して切断要求コマンドを送信する。
【００５６】
ステップＳ１１０では、制御部５５は、携帯電話８０から通信部６３を介して切断要求コマンドが入力されたか否かを判断する。切断要求コマンドが入力された場合には、無線ＬＡＮ接続の切断処理を実行（ステップＳ１１１）するとともに、接続確立プログラムＰＰの実行を終了して待機状態に戻る。一方、切断指示がない場合には、ステップＳ１０９に戻って、受信画像の投写を継続する。
【００５７】
続いて、携帯電話８０のフローチャートについて説明する。
図４は、携帯電話８０の動作を説明するためのフローチャートである。
携帯電話８０に電源が投入されると、制御部８１は、記憶部８２に記憶された制御プログラムに従った動作を開始し、各種初期化動作を行った後、通話手段に対する着信や、操作部８３からの信号入力を待機する。この状態で、ユーザは、操作部８３の接続ボタンを操作することにより、プロジェクタ５０との無線ＬＡＮ接続を開始するための指示を行うことができる。
【００５８】
図４に示すように、ステップＳ１２１では、制御部８１は、操作部８３から入力される操作信号に基づいて、無線ＬＡＮ接続を開始するための指示（接続ボタンの操作）がなされたか否かを判断する。指示がなされた場合には、ステップＳ１２２へ移行し、指示がなされていない場合には、当該ステップＳ１２１を繰り返す。
【００５９】
無線ＬＡＮ接続を開始するための指示を受けてステップＳ１２２に移行した場合には、制御部８１は、記憶部８２に記憶されている接続確立プログラムＰＭに従った動作を開始する。まず、携帯電話８０をカメラモードに切り替えるとともに、表示部８４に接続情報コード撮像画面を表示させ、接続情報コードＣＣの撮像を促す。接続情報コード撮像画面は、例えば、図１に示すように、タイトル（「バーコード読取り」）の下方に、撮像部８５で撮像されている画像をリアルタイム表示するモニタ領域を備えた画面であり、モニタ領域の四隅には、鉤括弧状のガイドマークが表示されている。このガイドマークは、接続情報コードＣＣを撮像（記録）する際に、撮像（記録）すべき大きさの目安となるものであり、ガイドマークが表す大きさで接続情報コードＣＣを撮像（記録）することにより、接続情報を認識する際の認識精度を向上させることができる。
【００６０】
このため、ユーザは、スクリーンＳＣに接続情報コードＣＣを表示させた状態（ステップＳ１０４）で、携帯電話８０の撮像部８５をスクリーンＳＣに向け、スクリーンＳＣに表示されている接続情報コードＣＣを表示部８４のモニタ領域に表示させるとともに、モニタ領域に表示される接続情報コードＣＣの大きさがガイドマークと略同じになるように、プロジェクタ５０に対してズーム操作（ステップＳ１０５，Ｓ１０６）を行う。その後、ユーザが操作部８３のシャッタボタンの操作（撮像操作）を行うと、接続情報コードＣＣは、その認識に好適な大きさで撮像（記録）される。
【００６１】
ステップＳ１２３では、制御部８１は、撮像操作が行われたか否かを判断する。撮像操作が行われた場合には、ステップＳ１２４に移行し、撮像操作が行われなかった場合には、当該ステップＳ１２３を繰り返す。
【００６２】
撮像操作が行われてステップＳ１２４に移行した場合には、制御部８１は、撮像画像（画像データ）を記憶部８２に記憶するとともに、接続確立プログラムＰＭのサブルーチンであるコード解析プログラムに従って動作し、撮像画像に含まれる接続情報コードＣＣを解析して接続情報の認識を試みる。
【００６３】
ステップＳ１２５では、制御部８１は、接続情報コードＣＣの解析の結果、接続情報を認識できたか否かを判断する。接続情報を認識できた場合には、ステップＳ１２７に移行し、接続情報を認識できなかった場合には、認識が失敗した旨を表すメッセージ（「認識失敗」、「もう一度、接続情報コードを撮影してください」等）を表示部８４に表示（ステップＳ１２６）して、ステップＳ１２２に戻る。
【００６４】
接続情報の認識が成功してステップＳ１２７に移行した場合には、制御部８１は、認識した接続情報に基づいて、無線ＬＡＮ接続を行うための設定を携帯電話８０に施す。
【００６５】
さらに、ステップＳ１２８では、制御部８１は、認識した接続情報に基づいて、プロジェクタ５０との無線ＬＡＮ接続を要求する接続要求コマンドをプロジェクタ５０に送信する。
【００６６】
ステップＳ１２９では、制御部８１は、プロジェクタ５０から接続を許可する接続応答コマンドを受信したか否かを判断する。受信した場合には、プロジェクタ５０との無線ＬＡＮ接続が確立し、ステップＳ１３０に移行する。一方、接続応答コマンドを受信していない場合には、当該ステップＳ１２９を繰り返す。なお、制御部８１がステップＳ１２７〜Ｓ１２９を実行することによって、認識された接続情報に基づく無線ＬＡＮ接続（ネットワーク接続）を行うことから、ステップＳ１２７〜Ｓ１２９を実行する際の制御部５５が、本発明のネットワーク接続手段に相当する。
【００６７】
ステップＳ１３０では、制御部８１は、プロジェクタ５０で投写するための画像データを記憶部８２から読み出し、これを画像信号として通信部８６からプロジェクタ５０に送信する。
【００６８】
ステップＳ１３１では、制御部８１は、操作部８３からの操作信号に基づいて、ユーザにより無線ＬＡＮ接続を切断するための指示（切断ボタンの操作）がなされたか否かを判断する。指示があった場合には、プロジェクタ５０に対する切断要求コマンドの送信等、無線ＬＡＮ接続を切断するための処理（ステップＳ１３２）を行って待機状態に戻る。一方、指示がなかった場合には、ステップＳ１３０へ戻り、画像信号の送信を継続する。
【００６９】
なお、本実施形態では、投写レンズ５４のズーム機構を駆動することにより、表示される接続情報コードＣＣの大きさ（表示サイズ）を変更することから、投写レンズ５４のズーム機構、当該ズーム機構を駆動するズーム駆動部６２、ズーム駆動部６２に指示を行う制御部５５が、本発明のコードサイズ変更手段に相当する。
【００７０】
以上説明したように、本実施形態の画像表示システム１によれば以下の効果が得ることができる。
本実施形態の画像表示システム１によれば、プロジェクタ５０が、自らに無線ＬＡＮ接続するための接続情報を符号化して接続情報コードＣＣを生成し、これを画像として投写するため、接続情報を記した非接触タグや印刷物等を、プロジェクタ５０やスクリーンＳＣに取り付ける作業を行う必要がなくなるうえ、誤った接続情報を取り付けてしまう恐れがなくなる。
【００７１】
また、接続情報コードを記した印刷物をプロジェクタ５０等に取り付ける場合には、目障りにならないように小さく印刷したものを目立たない位置に取り付けることが望まれるが、本実施形態では、接続情報コードＣＣを投写画像によって表示するため、接続作業を行うときのみ表示させることが可能であり、大きなサイズで表示させることができる。この結果、ユーザは、接続作業（携帯電話８０に接続情報を認識させる作業）を広い範囲で行うことが可能となり、携帯電話８０を持って認識可能な位置まで移動する必要性が低減する。
【００７２】
さらに、プロジェクタ５０をズーム操作することにより、接続情報コードＣＣの表示サイズを変更することができるため、さらに広い範囲で接続作業を行うことが可能となるうえ、携帯電話８０による認識に好適なサイズで接続情報コードＣＣを表示させることが可能となることから、ユーザが携帯電話８０を持って移動する必要性が一層低減する。即ち、携帯電話８０を操作するユーザが、スクリーンＳＣから離れた位置にいる場合には、大きなサイズで接続情報コードＣＣを表示させ、スクリーンＳＣの間近にいる場合には、小さなサイズで表示させることができる。
【００７３】
以上の結果、プロジェクタ５０に無線ＬＡＮ接続するための手続きを容易に行うことが可能となる。
【００７４】
（第２実施形態）
本発明の第２実施形態に係る画像表示システムについて、図面を参照して説明する。
本実施形態の画像表示システム１は、前記第１実施形態と同様に、プロジェクタ５０と携帯電話８０とで構成され、それぞれの概略構成も、前記第１実施形態と同様である（図２参照）。ただし、本実施形態のプロジェクタ５０は、接続情報コードＣＣを表す画像データを生成する際（図３におけるステップＳ１０３）に、同一の接続情報コードＣＣを異なる大きさで表示するために、複数（本実施形態では、大中小の３つ）の画像データを生成し、所定時間毎に、表示する接続情報コードＣＣの大きさ（表示サイズ）を切り替えるようになっている。
【００７５】
図５は、本実施形態のプロジェクタ５０の動作を説明するためのフローチャートであり、図６（ａ）〜（ｃ）は、プロジェクタ５０が生成する３つの画像データに基づいた投写画像ＩＭを示す説明図である。
図５に示すように、プロジェクタ５０の制御部５５は、ステップＳ２０１において、無線ＬＡＮ接続の指示を受け、ステップＳ２０２において、指定されたアクセスモードの接続情報を記憶部５６から読み出してこの接続情報に基づいた設定をプロジェクタ５０に施した後、ステップＳ２０３では、上述したように、接続情報コードＣＣを表す３つの画像データを生成し、記憶部５６に記憶する。
【００７６】
ステップＳ２０４では、制御部５５は、生成した３つの画像データのうち、１つの画像データ（例えば、接続情報コードＣＣを最も大きく表示する画像データ）を記憶部５６から読み出して画像信号処理部６０に出力する。これにより、画像投写部５１から画像が投写され、スクリーンＳＣ上に接続情報コードＣＣが大きなサイズで表示される（図６（ａ）参照）。
【００７７】
ステップＳ２０５では、制御部５５は、接続要求コマンドを受信したか否かを判断する。接続要求コマンドを受信した場合には、ステップＳ２０８に移行し、受信していない場合には、ステップＳ２０６に移行する。
【００７８】
ステップＳ２０６に移行した場合には、制御部５５は、現在投写中の接続情報コードＣＣの投写を開始してから所定時間（例えば、５秒）が経過したか否かを判断する。所定時間が経過していればステップＳ２０７に移行し、所定時間が経過していなければステップＳ２０５に戻る。
【００７９】
接続要求コマンドを受信することなく所定時間が経過して、ステップＳ２０７に移行した場合には、制御部５５は、現在投写中の接続情報コードＣＣとは異なる大きさの接続情報コードＣＣの画像データを記憶部５６から読み出して、これを画像信号処理部６０に出力する。これにより、スクリーンＳＣ上に表示される接続情報コードＣＣの表示サイズが切り替わる。その後、ステップＳ２０５に戻り、接続要求コマンドを受信するまでの間、所定時間（５秒）が経過する毎にステップＳ２０７を実行して、スクリーンＳＣに表示される接続情報コードＣＣの大きさを、所定時間（５秒）毎に、大→中→小→大→中→小…と変化させる（図６参照）。
【００８０】
ステップＳ２０５において接続要求コマンドが受信され、ステップＳ２０８に移行した場合には、制御部５５は、接続を許可する接続応答コマンドを、通信部６３から携帯電話８０に送信した後、前記第１実施形態の動作（図３におけるステップＳ１０９〜Ｓ１１１）と同一の動作を行う（ステップＳ２０９〜Ｓ２１１）。
【００８１】
なお、本実施形態では、制御部５５が画像データを切り替えることにより、表示される接続情報コードＣＣの大きさ（表示サイズ）を変更することから、画像データの切り替え（ステップＳ２０７）を実行する際の制御部５５が、本発明のコードサイズ変更手段に相当する。
【００８２】
以上説明したように、本実施形態の画像表示システム１によれば、前記第１実施形態の効果に加えて、以下の効果を得ることができる。
本実施形態の画像表示システム１によれば、プロジェクタ５０の制御部５５が、所定時間毎に接続情報コードＣＣの表示サイズを変更するため、ユーザは、接続情報コードＣＣが所望の表示サイズとなったときに携帯電話８０に接続情報を認識させればよくなり、ユーザが自ら表示サイズを変更する操作を行う必要がなくなる。
また、本実施形態では、画像データの切り替えにより接続情報コードＣＣのサイズ変更を行っているため、ズーム機構やズーム駆動部６２を備える必要がない。
【００８３】
（第３実施形態）
本発明の第３実施形態に係る画像表示システムについて、図面を参照して説明する。
図７は、第３実施形態の画像表示システム１の概略構成を示す説明図である。
図７に示すように、本実施形態の画像表示システム１は、第１実施形態と同一構成のプロジェクタ５０を画像表示装置として備えるとともに、携帯電話８０が接続されたノート型のパーソナルコンピュータ（以下、ノートＰＣと呼ぶ）９０を画像供給装置として備えている。
【００８４】
図８は、本実施形態の画像表示システム１の概略構成を示すブロック図である。
図８に示すように、プロジェクタ５０は、前記第１実施形態と同一構成であり、携帯電話８０は、通信部８６の代わりに、外部の装置と有線によるデータ通信が可能なインターフェイス（Ｉ／Ｆ）部８８を備える以外は、第１実施形態と同一の構成となっている。
【００８５】
ノートＰＣ９０は、制御部９１、ハードディスクドライブ９２、操作部９３、表示部９４、インターフェイス（Ｉ／Ｆ）部９５を備え、インターフェイス部９５には、通信部９６、ＵＳＢポート９７が接続されている。
【００８６】
制御部９１は、ＣＰＵ、ＲＯＭ、ＲＡＭ等によって構成され、バス９８を介して接続されている前記各部９２〜９５の動作を統括制御する。ハードディスクドライブ９２は、ＯＳ（オペレーティングシステム）や、インストールされたアプリケーションプログラム、或いは、プロジェクタ５０で投写するための画像データ等を記憶する記憶装置である。操作部９３は、キーボードやポインティングデバイス等であり、ユーザの操作内容に応じた操作信号を制御部９１に出力する。表示部９４は、液晶表示装置等からなり、制御部９１の制御に応じた画像を表示する。
【００８７】
ノートＰＣ９０に電源が投入されると、制御部９１のＣＰＵは、ＲＯＭに記憶された起動プログラムに従ってブート処理を行い、ハードディスクドライブ９２に記憶されているＯＳをＲＡＭに読み込むとともに、表示部９４に操作画面（デスクトップ画面）を表示させる。この状態で、操作部９３によってアプリケーションプログラムの起動が指示されると、制御部９１は、ハードディスクドライブ９２に記憶された当該アプリケーションプログラムをＲＡＭに読み込んで、プログラムに従った動作処理を行う。
【００８８】
本実施形態のハードディスクドライブ９２には、アプリケーションプログラムとして、外部の画像表示装置と無線ＬＡＮ接続するための処理内容とその順序を規定した接続確立プログラムＰＮが含まれている。この接続確立プログラムＰＮには、携帯電話８０の撮像部８５が撮像した画像に含まれる接続情報コードＣＣを解析し、この接続情報コードＣＣに含まれる接続情報を認識するためのコード解析プログラムがサブルーチンとして内包されている。なお、制御部９１がこのコード解析プログラムに従って動作することにより、撮像した接続情報コードＣＣを解析し、それに含まれる接続情報を認識することが可能となることから、本実施形態では、コード解析プログラムに従って動作する際の制御部９１が、本発明の接続情報認識手段に相当する。
【００８９】
通信部９６は、IEEE 802.11b、IEEE 802.11g、IEEE 802.11a等の無線ＬＡＮ規格に対応した無線ＬＡＮモジュールであり、制御部９１の指示に基づいて、無線ＬＡＮ接続に関わるコマンドの送受信や、画像信号の送信等を行うことができる。なお、通信部９６としては、カードスロットやＵＳＢポートに接続可能な無線ＬＡＮカードや無線ＬＡＮアダプタを用いるようにしてもよい。
【００９０】
ＵＳＢポート９７は、外部の装置との間でＵＳＢ規格に基づいたデータ通信を行うことが可能になっており、本実施形態では、ケーブルＵＣを介して携帯電話８０のインターフェイス部８８に接続されている。
【００９１】
次に、ノートＰＣ９０の動作について説明する。
図９は、ノートＰＣ９０の動作を説明するためのフローチャートである。
ノートＰＣに電源が投入された状態で、ユーザが操作部９３を操作して、接続確立プログラムＰＮの起動を指示すると、制御部９１は、ハードディスクドライブ９２に記憶されている接続確立プログラムＰＮに従った動作を開始し、ユーザに各種操作を促すための画像を表示部９４に表示するとともに、操作部９３からの信号入力を待機する。この状態で、ユーザは、操作部９３を用いて所定の操作を行うことにより、プロジェクタ５０との無線ＬＡＮ接続を開始するための指示を行うことができる。
【００９２】
図９に示すように、ステップＳ３２１では、制御部９１は、操作部９３から入力される操作信号に基づいて、無線ＬＡＮ接続を開始するための指示がなされたか否かを判断する。指示がなされた場合には、ステップＳ３２２へ移行し、指示がなされていない場合には、当該ステップＳ３２１を繰り返す。
【００９３】
無線ＬＡＮ接続を開始するための指示がなされてステップＳ３２２に移行した場合には、制御部９１は、表示部９４にメッセージを表示して、携帯電話８０を用いた接続情報コードＣＣの撮像、及びその撮像結果の転送を促すとともに、ＵＳＢポート９７を介して携帯電話８０から撮像結果が入力されるのを待機する。
【００９４】
上記のメッセージが表示されると、ユーザは、プロジェクタ５０からスクリーンＳＣに接続情報コードＣＣを投写させた状態（ステップＳ１０４）で、ズーム操作（ステップＳ１０５，Ｓ１０６）により接続情報コードＣＣを所望の大きさにするとともに、携帯電話８０をカメラモードにして、投写されている接続情報コードＣＣを撮像（記録）する必要がある。さらに、ユーザが撮像画像をノートＰＣに転送するための操作を行うと、撮像画像を表す画像データが、インターフェイス部８８を介してノートＰＣ９０に出力される。
【００９５】
ステップＳ３２３では、制御部９１は、携帯電話８０から画像データが入力されたか否かを判断する。画像データがＵＳＢポート９７を介して入力された場合には、ステップＳ３２４に移行し、入力されない場合には、当該ステップＳ３２３を繰り返す。
【００９６】
画像データが入力されてステップＳ３２４に移行した場合には、制御部９１は、画像データをハードディスクドライブ９２に記憶するとともに、接続確立プログラムＰＮのサブルーチンであるコード解析プログラムを実行し、画像データ（撮像画像）に含まれる接続情報コードＣＣを解析して接続情報コードＣＣに含まれる接続情報を認識する。
【００９７】
ステップＳ３２５では、制御部９１は、接続情報コードＣＣの解析の結果、接続情報を認識できたか否かを判断する。接続情報を認識できた場合には、ステップＳ３２７に移行し、接続情報を認識できなかった場合には、認識が失敗した旨を表すメッセージを表示部９４に表示（ステップＳ３２６）して、ステップＳ３２２に戻る。
【００９８】
接続情報の認識が成功してステップＳ３２７に移行した場合には、制御部９１は、認識した接続情報に基づいて、無線ＬＡＮ接続を行うための設定をノートＰＣ９０に施す。
【００９９】
さらに、ステップＳ３２８では、制御部９１は、認識した接続情報に基づいて、プロジェクタ５０との無線ＬＡＮ接続を要求する接続要求コマンドをプロジェクタ５０に送信する。
【０１００】
ステップＳ３２９では、制御部９１は、プロジェクタ５０から接続を許可する接続応答コマンドを受信したか否かを確認する。受信した場合には、プロジェクタ５０とノートＰＣ９０との無線ＬＡＮ接続が確立し、ステップＳ３３０に移行する。一方、受信していない場合には、当該ステップＳ３２９を繰り返す。
【０１０１】
ステップＳ３３０では、制御部９１は、プロジェクタ５０で投写するための画像データをハードディスクドライブ９２から読み出し、これを画像信号として通信部９６からプロジェクタ５０に送信する。
【０１０２】
ステップＳ３３１では、制御部９１は、操作部９３からの操作信号に基づいて、ユーザにより無線ＬＡＮ接続を切断するための指示がなされたか否かを判断する。指示があった場合には、プロジェクタ５０に対する切断要求コマンドの送信等、無線ＬＡＮ接続を切断するための処理（ステップＳ３３２）を行って待機状態に戻る。一方、指示がなかった場合には、ステップＳ３３０へ戻り、画像信号の送信を継続する。
【０１０３】
以上説明したように、本実施形態の画像表示システム１によれば、前記第１実施形態と同様の効果を得ることができる。
【０１０４】
（変形例）
なお、本発明の実施形態は、以下のように変更してもよい。
前記第１〜第３実施形態では、プロジェクタ５０が、接続情報コードＣＣを表す画像データを生成する際（ステップＳ１０３、及びステップＳ２０３）、１つの接続情報コードＣＣが投写画像の略中央に位置するような画像データを生成しているが、接続情報コードＣＣの表示態様は前記に限定されない。例えば、同一の接続情報コードＣＣが複数配置されて表示されるような画像データを生成するようにしてもよい。
【０１０５】
図１０は、同一の接続情報コードＣＣを左右に２つ並べた画像を投写する例を示す説明図である。
図１０に示すように、投写画像ＩＭ上の異なる位置（左及び右）に接続情報コードＣＣが表示されるため、接続情報コードＣＣを撮像しようとするユーザが、投写画像ＩＭ（スクリーンＳＣ）の左右どちらに位置している場合でも、接続情報コードＣＣを正面に近い位置から撮像することが可能となる。この結果、斜め方向から撮像する際に生じる撮像画像の歪が抑制され、接続情報の誤認識を低減することが可能となる。
【０１０６】
なお、図１０では、接続情報コードＣＣを左右に２つ並べた例を示しているが、３つ或いはそれ以上を並べるようにしてもよい。また、並べる方向は左右に限られず、携帯電話８０で接続情報コードＣＣを撮像するユーザが、立ったまま、或いは座ったまま撮像ができるように、上下に複数並べてもよい。或いは、接続情報コードＣＣをマトリクス状、即ち上下、左右とも複数列となるように配置することも可能である。なお、これら複数の接続情報コードＣＣは、必ずしも同時に表示される必要はなく、例えば、所定時間毎に異なる位置に接続情報コードＣＣを表示させるようにしてもよい。
【０１０７】
前記第１〜第３実施形態では、無線ＬＡＮの接続形態として、アクセスポイントを介さないアドホックモードで接続する場合の例を示しているが、アクセスポイントを介した通信を行うアクセスポイントモード（インフラストラクチャモード）で行う場合にも同様の効果を得ることが可能である。また、ネットワークの形態としては、無線ＬＡＮに限られず、ワイヤレスＵＳＢ等の他の無線ネットワークや、有線ＬＡＮ等の有線ネットワークの場合にも、本発明を適用可能である。
【０１０８】
前記第１〜第３実施形態では、３つの液晶ライトバルブ５３Ｒ，５３Ｇ，５３Ｂを用いて画像を形成しているが、１つの液晶ライトバルブでカラー画像を形成する構成であってもよい。ここで、液晶ライトバルブは、透過型及び反射型のいずれであってもよい。また、液晶ライトバルブの代わりに、入射した光の出射方向を、画素としてのマイクロミラー毎に制御することにより、光源から出射した光を変調する微小ミラーアレイデバイス等を用いることもできる。
【０１０９】
前記第２実施形態では、予め３つの画像データを生成して記憶部５６に記憶させ、所定時間が経過する毎に、異なる画像データを読み出すようにしているが、表示サイズが異なる画像データを、所定時間が経過する毎に生成するようにしてもよい。
【０１１０】
前記第２実施形態では、３つの画像データを生成し、これらを切り替えることによって接続情報コードＣＣの表示サイズを変更しているが、前記第１実施形態と同様、１つの画像データのみを生成し、所定時間が経過する毎に、ズーム駆動部６２にズーム機構を駆動させ、接続情報コードＣＣの表示サイズを変更するようにしてもよい。
【０１１１】
前記第２実施形態では、３つの表示サイズの接続情報コードＣＣを順次切り替えて表示しているが、切り替え可能な表示サイズは３つに限られず、２つ或いは４つ以上であってもよい。
【０１１２】
前記第３実施形態では、携帯電話８０とノートＰＣ９０とをケーブルＵＣで接続し、有線によるデータ通信を行っているが、携帯電話８０とノートＰＣ９０との接続形態は、前記に限定されず、例えば、赤外線通信や、Ｂｌｕｅｔｏｏｔｈ（登録商標）による無線通信等を用いることも可能である。また、携帯電話８０の代わりにデジタルカメラ等の撮像装置を用いること可能である。
【０１１３】
前記第３実施形態では、携帯電話８０が、撮像した接続情報コードＣＣの画像データをノートＰＣ９０に送信し、ノートＰＣ９０が、接続情報コードＣＣを解析して接続情報の認識を行っているが、携帯電話８０が接続情報の認識までを行い、認識した接続情報をノートＰＣに送信するようにしてもよい。
【０１１４】
前記第１〜第３実施形態では、画像表示装置としてプロジェクタ５０を用いた場合の例を示しているが、透過型のスクリーンを一体的に備えたリアプロジェクタ、或いは、ＣＲＴ（陰極線管）ディスプレイ、液晶ディスプレイ、プラズマディスプレイ、ＳＥＤ（Surface-conduction Electron-emitter Display）、有機ＥＬ（Electro Luminescence）ディスプレイ等を用いるようにしてもよい。
【０１１５】
前記第１〜第３実施形態では、画像供給装置として、携帯電話８０或いはノートＰＣ９０を用いた場合の例を示しているが、本発明の画像供給装置は、ネットワーク接続を行って画像表示装置に画像信号を送信可能な構成を有していればよく、ＰＤＡ等の他の携帯型情報機器や、無線ＬＡＮ対応のデジタルカメラ等を用いるようにしてもよい。
【図面の簡単な説明】
【０１１６】
【図１】第１実施形態の画像表示システムの概略構成を示す説明図。
【図２】第１実施形態の画像表示システムの概略構成を示すブロック図。
【図３】第１実施形態のプロジェクタの動作を説明するためのフローチャート。
【図４】第１実施形態の携帯電話の動作を説明するためのフローチャート。
【図５】第２実施形態のプロジェクタの動作を説明するためのフローチャート。
【図６】（ａ）〜（ｃ）は、第２実施形態のプロジェクタが生成する３つの画像データに基づいた投写画像を示す説明図。
【図７】第３実施形態の画像表示システムの概略構成を示す説明図。
【図８】第３実施形態の画像表示システムの概略構成を示すブロック図。
【図９】第３実施形態のノートＰＣの動作を説明するためのフローチャート。
【図１０】接続情報コードを左右に２つ並べた画像を投写する例を示す説明図。
【符号の説明】
【０１１７】
１…画像表示システム、５０…プロジェクタ、５１…画像投写部、５２…光源部、５３Ｒ，５３Ｇ，５３Ｂ…液晶ライトバルブ、５４…投写レンズ、５５…制御部、５６…記憶部、５７…操作部、ＲＣ…リモコン、５８…操作信号受信部、５９…インターフェイス部、６０…画像信号処理部、６１…ランプ駆動部、６２…ズーム駆動部、６３…通信部、６４…ライトバルブ駆動部、８０…携帯電話、８１…制御部、８２…記憶部、８３…操作部、８４…表示部、８５…撮像部、８６…通信部、８８…インターフェイス部、９０…ノートＰＣ、９１…制御部、９２…ハードディスクドライブ、９３…操作部、９４…表示部、９５…インターフェイス部、９６…通信部、９７…ＵＳＢポート、ＰＰ，ＰＭ，ＰＮ…接続確立プログラム、ＣＣ…接続情報コード、ＩＭ…投写画像、ＳＣ…スクリーン、ＵＣ…ケーブル。
【図１】
2008015402.tif 000003
【図２】
2008015402.tif 000004
【図３】
2008015402.tif 000005
【図４】
2008015402.tif 000006
【図５】
2008015402.tif 000007
【図６】
2008015402.tif 000008
【図７】
2008015402.tif 000009
【図８】
2008015402.tif 000010
【図９】
2008015402.tif 000011
【図１０】
2008015402.tif 000012